(57)【要約】【課題】従来、情報を受信するための操作が必要であり、当該操作が煩雑であった。【解決手段】コンテンツ取得装置と仲介装置を有する情報処理システムであって、コンテンツ取得装置は、コンテンツを仲介装置から取得するコンテンツ取得部と、コンテンツを蓄積するコンテンツ蓄積部と、コンテンツ取得装置識別子を仲介装置に渡す識別子通知部を具備し、仲介装置は、外部からコンテンツを受信するコンテンツ受信部と、コンテンツをコンテンツ取得装置に渡すコンテンツ通知部と、コンテンツ取得装置からコンテンツ取得装置識別子を取得する識別子取得部と、識別子取得部が取得したコンテンツ取得装置識別子を外部に送信する識別子送信部を具備する情報処理システムであり、かかる情報処理システムにより、コンテンツ取得装置を仲介装置の上に設置するだけで、簡単にコンテンツを取得できる。【選択図】  図２
2004178510.tif 000002
【特許請求の範囲】
【請求項１】
コンテンツ取得装置と仲介装置を有する情報処理システムであって、
前記コンテンツ取得装置は、
コンテンツを前記仲介装置から取得するコンテンツ取得部と、
前記コンテンツを蓄積するコンテンツ蓄積部と、
コンテンツ取得装置を識別する情報であるコンテンツ取得装置識別子を格納している識別子格納部と、
前記コンテンツ取得装置識別子を前記仲介装置に渡す識別子通知部を具備し、
前記仲介装置は、
外部からコンテンツを受信するコンテンツ受信部と、
前記コンテンツを前記コンテンツ取得装置に渡すコンテンツ通知部と、
前記コンテンツ取得装置からコンテンツ取得装置識別子を取得する識別子取得部と、
前記識別子取得部が取得したコンテンツ取得装置識別子を外部に送信する識別子送信部を具備する情報処理システム。
【請求項２】
前記コンテンツ蓄積部は、前記コンテンツ取得装置から着脱可能な記録媒体にコンテンツを蓄積する請求項１記載の情報処理システム。
【請求項３】
前記コンテンツ取得装置は、前記仲介装置の上に設置される請求項１または請求項２いずれか記載の情報処理システム。
【請求項４】
前記コンテンツ通知部が前記コンテンツ取得装置へのコンテンツの通知が完了する前に、前記識別子取得部は、前記コンテンツ取得装置からコンテンツ取得装置識別子を取得し、
前記コンテンツ通知部が前記コンテンツ取得装置へのコンテンツの通知を完了した後に、前記識別子送信部は前記コンテンツ取得装置識別子を外部に送信する請求項１から請求項３いずれか記載の情報処理システム。
【請求項５】
前記コンテンツが新聞情報である請求項１から請求項４いずれか記載の情報処理システム。
【請求項６】
前記コンテンツ取得装置は、
前記コンテンツを出力するコンテンツ出力部をさらに具備する請求項１から請求項５いずれか記載の情報処理システム。
【請求項７】
請求項１から請求項６いずれか記載の情報処理システムを構成するコンテンツ取得装置。
【請求項８】
請求項１から請求項６いずれか記載の情報処理システムを構成する仲介装置。
【発明の詳細な説明】
【０００１】
【発明の属する技術分野】
本発明は、外部から情報を取得して出力する情報処理システムや情報処理装置等に関する。
【０００２】
【従来の技術】
従来、外部から情報を取得して出力する情報処理装置として、通信機能を有する電子ブック装置がある（特許文献１参照）。本電子ブック装置は、リモートで電子ブックデータ販売機や電子ブックデータの供給センターから情報を受信して、当該情報を出力する。
【０００３】
【特許文献１】
特開７−１２９６０４号公報（第２頁、第１図等）
【０００４】
【発明が解決しようとする課題】
しかし、上記従来技術によれば、情報を受信するための操作が必要であり、当該操作が煩雑であった。
【０００５】
【課題を解決するための手段】
そこで、コンテンツ取得装置と仲介装置を有する情報処理システムであって、コンテンツ取得装置は、コンテンツを仲介装置から取得するコンテンツ取得部と、コンテンツを蓄積するコンテンツ蓄積部と、コンテンツ取得装置を識別する情報であるコンテンツ取得装置識別子を格納している識別子格納部と、コンテンツ取得装置識別子を仲介装置に渡す識別子通知部を具備し、仲介装置は、外部からコンテンツを受信するコンテンツ受信部と、コンテンツをコンテンツ取得装置に渡すコンテンツ通知部と、コンテンツ取得装置からコンテンツ取得装置識別子を取得する識別子取得部と、識別子取得部が取得したコンテンツ取得装置識別子を外部に送信する識別子送信部を具備する情報処理システムであり、かかる情報処理システムにより、コンテンツ取得装置を仲介装置の上に設置するだけで、簡単にコンテンツを取得できる。
【０００６】
また、コンテンツ通知部が前記コンテンツ取得装置へのコンテンツの通知が完了する前に、識別子取得部は、コンテンツ取得装置からコンテンツ取得装置識別子を取得し、コンテンツ通知部がコンテンツ取得装置へのコンテンツの通知を完了した後に、識別子送信部はコンテンツ取得装置識別子をサーバ装置などの外部に送信することにより、コンテンツを確実に取得した場合にコンテンツ取得装置識別子を送信し、かつ、コンテンツ取得装置がコンテンツ取得後ただちに仲介装置から取り外された場合でも、仲介装置からサーバ装置にコンテンツ取得装置識別子を送信できるので、コンテンツの取得に対して確実に課金処理できる。
【０００７】
【発明の実施の形態】
以下、情報処理システムや情報処理装置等の実施形態について図面を参照して説明する。なお、実施の形態において同じ符号を付した構成要素は同様の動作を行うので、再度の説明を省略する場合がある。
【０００８】
図１は、本実施の形態における情報処理システムの概念図である。情報処理システムは、サーバ装置１１と仲介装置１２とコンテンツ取得装置１３を有する。サーバ装置１１は、コンテンツを格納しており、当該コンテンツを仲介装置１２経由でコンテンツ取得装置１３に渡す。仲介装置１２は、サーバ装置１１からコンテンツを取得し、コンテンツ取得装置１３に渡す。コンテンツ取得装置１３は、コンテンツを取得し、出力等する。また、コンテンツ取得装置１３は、仲介装置１２の上に設置される。さらに、コンテンツ取得装置１３は、仲介装置１２の上に設置された場合に、コンテンツを仲介装置１２経由で取得できる。
【０００９】
図２は、本実施の形態における情報処理システムのブロック図である。サーバ装置１１は、コンテンツ格納部１１０１、コンテンツ送信部１１０２、識別子受信部１１０３、課金処理部１１０４を具備する。仲介装置１２は、コンテンツ受信部１２０１、コンテンツ通知部１２０２、識別子取得部１２０３、識別子送信部１２０４を具備する。コンテンツ取得装置１３は、識別子格納部１３０１、識別子通知部１３０２、コンテンツ取得部１３０３、コンテンツ蓄積部１３０４、指示受付部１３０５、コンテンツ出力部１３０６を具備する。
【００１０】
コンテンツ格納部１１０１は、コンテンツを格納している。コンテンツとは、テキスト、静止画、動画、音情報、それらの組み合わせ等であり、そのタイプは何でも良い。コンテンツは、例えば、新聞のデータである新聞情報である。また、コンテンツは、例えば、電子本のデータである。コンテンツ格納部１１０１は、不揮発性の記録媒体が好適であるが、揮発性の記録媒体でも実現可能である。
【００１１】
コンテンツ送信部１１０２は、コンテンツを仲介装置１２に送信する。送信とは、放送も含む概念である。コンテンツを送信するタイミングは、種々考えられる。例えば、仲介装置１２からコンテンツ送信の指示があった場合に、コンテンツを送信する。また、定刻になった場合に、予め決められた仲介装置１２にコンテンツを送信する。また、定刻になった場合にコンテンツを放送しても良い。コンテンツ送信部１１０２は、無線または有線の通信手段で実現されるのが好適であるが、放送手段で実現しても良い。
【００１２】
識別子受信部１１０３は、コンテンツ取得装置識別子を受信する。識別子受信部１１０３は、通常、コンテンツ取得装置識別子を仲介装置１２から受信する。識別子受信部１１０３は、無線または有線の通信手段で実現されるのが好適であるが、放送を受信する手段で実現しても良い。
【００１３】
課金処理部１１０４は、識別子受信部１１０３が受信したコンテンツ取得装置識別子で識別されるコンテンツ取得装置がコンテンツを取得したことに対して課金の処理を行う。課金処理とは、課金料を算出したり、算出した課金料を他の装置に送信したり、蓄積したり、ディスプレイに表示したりする処理等を言う。また、課金処理とは、送信したコンテンツを識別する情報と送信先を示す情報を対に蓄積したり、送信したコンテンツのサイズと送信先を示す情報を対に蓄積したり、コンテンツを送信した回数と送信先を示す情報を対に蓄積したりする処理なども含む。課金処理部１１０４は、通常、ＭＰＵやメモリ等から実現され得る。課金処理部１１０４が課金処理するための処理手順は、通常、ソフトウェアで実現され、当該ソフトウェアはＲＯＭ等の記録媒体に記録されている。但し、ハードウェア（専用回路）で実現しても良い。
【００１４】
コンテンツ受信部１２０１は、サーバ装置１１からコンテンツを受信する。コンテンツを受信するタイミングは問わない。例えば、毎日、定刻にコンテンツを受信する。また、ユーザの指示によりサーバ装置１１に問合せ、コンテンツを受信する。コンテンツ受信部１２０１は、無線または有線の通信手段で実現されるのが好適であるが、放送を受信する手段で実現しても良い。
【００１５】
コンテンツ通知部１２０２は、コンテンツ受信部１２０１が受信したコンテンツをコンテンツ取得装置１３に渡す。コンテンツ通知部１２０２は、例えば、コンテンツをバスに出力するソフトウェアおよび電子回路等で実現され得る。
【００１６】
識別子取得部１２０３は、コンテンツ取得装置１３からコンテンツ取得装置を識別する情報であるコンテンツ取得装置識別子を取得する。コンテンツ取得装置識別子のデータ構造や内容は問わない。識別子取得部１２０３は、例えば、電気的に接続されたコンテンツ取得装置１３からバス経由で情報を取得するソフトウェアやハードウェア（専用回路）で実現してされ得る。
【００１７】
識別子送信部１２０４は、識別子取得部１２０３が取得したコンテンツ取得装置識別子をサーバ装置１１に送信する。識別子送信部１２０４は、無線または有線の通信手段で実現されるのが好適であるが、放送手段で実現しても良い。
【００１８】
識別子格納部１３０１は、コンテンツ取得装置識別子を格納している。識別子格納部１３０１は、不揮発性の記録媒体が好適であるが、揮発性の記録媒体でも実現可能である。
【００１９】
識別子通知部１３０２は、識別子格納部１３０１に格納されているコンテンツ取得装置識別子を仲介装置１２に通知する。コンテンツ取得装置識別子を通知するタイミングは種々考えられる。例えば、識別子通知部１３０２は、ユーザのコンテンツ取得の指示があった場合に、最初に、コンテンツ取得装置識別子を仲介装置１２に通知する。また、例えば、識別子通知部１３０２は、定刻になった場合に、コンテンツ取得装置識別子を仲介装置１２に通知する。識別子通知部１３０２は、コンテンツを取得する前に、コンテンツ取得装置識別子を仲介装置１２に通知することが好適である。識別子通知部１３０２は、電気的に接続された仲介装置１２に、バス経由で情報を伝えるソフトウェアまたはハードウェア（専用回路）で実現され得る。
【００２０】
コンテンツ取得部１３０３は、コンテンツを仲介装置１２から取得する。コンテンツ取得部１３０３は、電気的に接続された仲介装置１２から情報を取得するソフトウェアまたはハードウェア（専用回路）で実現され得る。
【００２１】
コンテンツ蓄積部１３０４は、コンテンツ取得部１３０３が取得したコンテンツを蓄積する。コンテンツを蓄積する媒体は、コンテンツ蓄積部１３０４が保持していても良いし、外部の記録媒体でも良い。なお、コンテンツ蓄積部１３０４は、コンテンツをコンテンツ取得装置１３から着脱可能な外部の記録媒体に蓄積しても良い。かかる場合、コンテンツの流通が容易になり好適である。コンテンツ蓄積部１３０４は、通常、ＭＰＵやメモリ等から実現され得る。コンテンツ蓄積部１３０４がコンテンツを蓄積するための処理手順は、通常、ソフトウェアで実現され、当該ソフトウェアはＲＯＭ等の記録媒体に記録されている。但し、ハードウェア（専用回路）で実現しても良い。
【００２２】
指示受付部１３０５は、ユーザから、コンテンツ出力指示などの指示を受け付ける。指示の入力手段はキーボードやタッチパネルやペンやテンキーやマウスなど、何でも良い。指示受付部１３０５は、入力手段のドライバーソフト等で構成され得る。
【００２３】
コンテンツ出力部１３０６は、指示受付部１３０５がコンテンツの出力指示を受け付けた場合に、コンテンツを出力する。出力とは、通常、ディスプレイへの表示を言うが、スピーカーへの音出力、プリンタへの印字、通信手段を用いた送信なども含む。コンテンツ出力部１３０６は、ディスプレイやスピーカーなどの出力媒体を含むと考えても、含まないと考えても良い。
【００２４】
以下、本情報処理システムの動作について説明する。まず、サーバ装置１１の動作について図３のフローチャートを用いて説明する。
【００２５】
（ステップＳ３０１）コンテンツ送信部１１０２は、予め決められた時刻になったか否かを判断する。予め決められた時刻であればステップＳ３０２に行き、予め決められた時刻でなければステップＳ３０１に戻る。
【００２６】
（ステップＳ３０２）コンテンツ送信部１１０２は、コンテンツ格納部１１０１からコンテンツを取得する。
【００２７】
（ステップＳ３０３）コンテンツ送信部１１０２は、予め格納しているコンテンツの送信先をすべて取得する。
【００２８】
（ステップＳ３０４）コンテンツ送信部１１０２は、ステップＳ３０３で取得したコンテンツの送信先の数を変数ｎに代入する。
【００２９】
（ステップＳ３０５）カウンタｉに１を代入する。
【００３０】
（ステップＳ３０６）ｉがｎ以下であればステップＳ３０７に行き、ｉがｎより大きければステップＳ３０９に飛ぶ。
【００３１】
（ステップＳ３０７）コンテンツ送信部１１０２は、ｉ番目の送信先にステップＳ３０２で取得したコンテンツを送信する。
【００３２】
（ステップＳ３０８）カウンタｉをインクリメントする。ステップＳ３０６に戻る。
【００３３】
（ステップＳ３０９）識別子受信部１１０３は、コンテンツ取得装置識別子を受信したか否かを判断する。コンテンツ取得装置識別子を受信すればステップＳ３１０に行き、コンテンツ取得装置識別子を受信しなければステップＳ３１１に飛ぶ。
【００３４】
（ステップＳ３１０）課金処理部１１０４は、ステップＳ３０９で受信したコンテンツ取得装置識別子で識別されるコンテンツ取得装置１３がコンテンツを取得したことに対して課金の処理を行う。
【００３５】
（ステップＳ３１１）課金処理部１１０４は、タイムアウトか否かを判断する。タイムアウトであれば処理を終了し、タイムアウトでなければステップＳ３０９に戻る。
【００３６】
なお、図３のフローチャートにおいて、処理の終了は、タイムアウトか否かの判断によったが、コンテンツ取得装置識別子を送信してきたコンテンツ取得装置１３を管理しておき、すべてのコンテンツ取得装置１３からコンテンツ取得装置識別子を受信すれば処理を終了しても良い。また、図３のフローチャートにおいて、コンテンツはストリームコンテンツでも良い。
【００３７】
次に、仲介装置１２の動作について図４のフローチャートを用いて説明する。
【００３８】
（ステップＳ４０１）コンテンツ受信部１２０１は、コンテンツを受信したか否かを判断する。コンテンツを受信すればステップＳ４０２に行き、コンテンツを受信しなければステップＳ４０１に戻る。
【００３９】
（ステップＳ４０２）識別子取得部１２０３は、コンテンツ取得装置１３にコンテンツ取得装置識別子を通知する旨の指示をする。
【００４０】
（ステップＳ４０３）識別子取得部１２０３は、コンテンツ取得装置１３からコンテンツ取得装置識別子を取得したか否かを判断する。コンテンツ取得装置識別子を取得すればステップＳ４０４に行き、コンテンツ取得装置識別子を取得しなければステップＳ４０３に戻る。
【００４１】
（ステップＳ４０４）コンテンツ通知部１２０２は、ステップＳ４０１で受信したコンテンツをコンテンツ取得装置１３に通知する。
【００４２】
（ステップＳ４０５）識別子送信部１２０４は、ステップＳ４０３で取得したコンテンツ取得装置識別子をサーバ装置１１に送信する。
【００４３】
なお、図４のフローチャートにおいて、コンテンツはストリームコンテンツでも良い。コンテンツがストリームコンテンツである場合、通常、コンテンツ取得装置識別子をサーバ装置１１に送信するタイミングが、コンテンツすべてをコンテンツ取得装置１３に通知した後である。
【００４４】
また、図４のフローチャートにおいて、コンテンツ取得装置１３にコンテンツ取得装置識別子を通知する旨の指示をして、コンテンツ取得装置識別子を取得するタイミングは、問わない。但し、通常、コンテンツ取得装置識別子を取得するタイミングは、すべてのコンテンツをコンテンツ取得装置１３に通知する前が好適である。
【００４５】
次に、コンテンツ取得装置１３がコンテンツを取得して蓄積する動作について、図５のフローチャートを用いて説明する。
【００４６】
（ステップＳ５０１）識別子通知部１３０２は、コンテンツ取得装置識別子の通知の指示を受け付けたか否かを判断する。通知の指示を受け付ければステップＳ５０２に行き、通知の指示を受け付けなければステップＳ５０１に戻る。
【００４７】
（ステップＳ５０２）識別子通知部１３０２は、識別子格納部１３０１に格納されているコンテンツ取得装置識別子を読み出す。
【００４８】
（ステップＳ５０３）識別子通知部１３０２は、ステップＳ５０２で読み出したコンテンツ取得装置識別子を、仲介装置１２に通知する。
【００４９】
（ステップＳ５０４）コンテンツ取得部１３０３は、仲介装置１２からコンテンツを取得したか否かを判断する。コンテンツを取得すればステップＳ５０５に行き、コンテンツを取得しなければステップＳ５０４に戻る。
【００５０】
（ステップＳ５０５）コンテンツ蓄積部１３０４は、ステップＳ５０４で取得したコンテンツを蓄積する。
【００５１】
なお、コンテンツ取得装置１３の指示受付部１３０５は、ステップＳ５０５で蓄積したコンテンツを出力する指示を受けつけ、コンテンツ出力部１３０６は、当該コンテンツを出力する。
【００５２】
以下、本実施の形態における情報処理システムの具体的な動作について説明する。図６に本情報処理システムの概念図を示す。本情報処理システムは、サーバ装置１１、１以上の仲介装置１２（１２（１）、１２（２）・・・１２（ｎ））、１以上のコンテンツ取得装置１３（１３（１）、１３（２）・・・１３（ｎ））を有する。
【００５３】
サーバ装置１１には、新聞情報が格納されており、登録されている仲介装置１２（以下、１以上の仲介装置を代表して「仲介装置１２」という。）に、毎朝５時に新聞情報を送信する。また、サーバ装置１１は、図７に示すコンテンツ取得装置識別子管理表を保持している。コンテンツ取得装置識別子管理表は、「ＩＤ」「ＩＰアドレス」「コンテンツ取得装置識別子」を有するレコードを１以上格納している。「ＩＤ」はレコードを識別する情報であり、表管理上必要である。「ＩＰアドレス」は仲介装置１２のＩＰアドレスであり、仲介装置１２と通信を行うために必要である。「コンテンツ取得装置識別子」は、課金処理をするために必要である。通常、「コンテンツ取得装置識別子」と対に、コンテンツを取得する顧客の情報（クレジットカードＮｏ、氏名、住所など）が管理されている。
【００５４】
仲介装置１２は、サーバ装置１１と通信するための情報（例えば、サーバ装置１１のＩＰアドレスや電話番号など）を管理している。仲介装置１２は、コンテンツ取得装置１３が仲介装置１２の上に設置された場合に、サーバ装置１１と通信する。
【００５５】
コンテンツ取得装置１３は、仲介装置１２の上に設置される。コンテンツ取得装置１３が、仲介装置１２の上に設置された場合に、コンテンツ取得装置１３と仲介装置１２は電気的に繋がり、情報のやりとりが可能になる。コンテンツ取得装置１３の外観図の例を図８に示す。コンテンツ取得装置１３は、例えば、２つのディスプレイを有する電子ブックプレーヤーである。
【００５６】
以上の情報処理システムにおいて、ユーザは、仲介装置１２とコンテンツ取得装置１３を所有している。そして、例えば、ユーザが寝る前に、コンテンツ取得装置１３を仲介装置１２の上に設置する。これは、あたかも携帯電話を充電器の上に設置するがごとく、コンテンツ取得装置１３を仲介装置１２の上に設置する。
【００５７】
次に、サーバ装置１１は、登録されている仲介装置１２のＩＰアドレス（図７のＩＰアドレス）を取得して、当該１以上の仲介装置１２に新聞情報（図６の情報）を毎朝５時に送信する。
【００５８】
次に、コンテンツ取得装置１３は、自身のコンテンツ取得装置識別子を仲介装置１２に送る。次に、コンテンツ取得装置１３は、仲介装置１２経由で新聞情報を取得し、蓄積する。次に、仲介装置１２は、新聞情報をコンテンツ取得装置１３に送り終えた後、コンテンツ取得装置識別子をサーバ装置１１に送信する。つまり、確実に新聞情報がコンテンツ取得装置１３に送られた後に、コンテンツ取得装置識別子はサーバ装置１１に送信される。
【００５９】
次に、サーバ装置１１は、コンテンツ取得装置識別子で識別されるコンテンツ取得装置１３（ユーザ）に、コンテンツ（新聞情報）が送信された、と判断し、課金処理を行う。課金処理は、例えば、新聞情報があるコンテンツ取得装置１３（ユーザ）に送信されるごとに、コンテンツ取得装置識別子に対応して管理されている課金料を５０円加算する、などの処理である。
【００６０】
また、ユーザは、例えば、コンテンツ取得装置１３を通勤時に持ち歩き、新聞情報の出力指示をコンテンツ取得装置１３に入力する。コンテンツ取得装置１３は、新聞情報の出力指示を受け付け、新聞情報を出力する。なお、新聞情報の出力態様は問わない。
【００６１】
以上、本実施の形態によれば、コンテンツ取得装置にコンテンツが極めて簡単に自動的に蓄積される。また、仲介装置がコンテンツ取得装置へのコンテンツの通知を完了する前に、仲介装置はコンテンツ取得装置からコンテンツ取得装置識別子を取得し、仲介装置がコンテンツ取得装置へのコンテンツの通知を完了した後に、仲介装置はコンテンツ取得装置識別子をサーバ装置に送信するので、コンテンツ取得装置がコンテンツを取得した直後に仲介装置からコンテンツ取得装置を抜いたとしても、確実にコンテンツ取得装置識別子がサーバ装置に送信され、確実に適正な課金処理がなされる。
【００６２】
なお、本実施の形態によれば、コンテンツ取得装置は仲介装置の上に設置され、当該設置によってコンテンツ取得装置と仲介装置は電気的に繋がれ、情報のやり取りが可能であった。しかし、コンテンツ取得装置と仲介装置はブルートゥースや赤外線通信などの無線通信規約に基づく無線通信や、ＵＳＢなどの有線による通信手段で情報の受け渡しをしても良い。
【００６３】
また、本実施の形態によれば、仲介装置は、コンテンツ取得装置に電力を充電する機能を兼ねても良い。
また、本実施の形態によれば、コンテンツ取得装置は仲介装置の上に設置されたが、コンテンツ取得装置は仲介装置の横に配置されるなど、両装置の位置関係は問わない。
また、本実施の形態において、仲介装置は、コンテンツ取得装置識別子を外部に送信した後、サーバ装置が当該コンテンツ取得装置識別子を受信した旨の情報または当該コンテンツ取得装置識別子を受信して課金処理をした旨の情報を仲介装置に送信しても良い。また、コンテンツが暗号化されている場合、仲介装置は、サーバ装置から上記の情報（当該コンテンツ取得装置識別子を受信した旨等）を受信した後に、コンテンツの暗号を解除する指示をコンテンツ取得装置にしても良い。さらに、仲介装置は、サーバ装置から受信した暗号を解読するキーをコンテンツ取得装置に送信するなどの処理をしても良い。かかる処理により、コンテンツ取得装置識別子が仲介装置から着脱された場合でも、確実に課金処理が可能となる。
【００６４】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した仲介装置の動作を実現するプログラムは、コンピュータに、外部からコンテンツを受信するコンテンツ受信ステップと、コンテンツをコンテンツ取得装置に渡すコンテンツ通知ステップと、コンテンツ取得装置からコンテンツ取得装置識別子を取得する識別子取得ステップと、識別子取得ステップで取得したコンテンツ取得装置識別子を外部に送信する識別子送信ステップを実行させるためのプログラムである。また、本実施の形態において説明したコンテンツ取得装置の動作を実現するプログラムは、コンピュータに、コンテンツを仲介装置から取得するコンテンツ取得ステップと、コンテンツを蓄積するコンテンツ蓄積ステップと、予め格納しているコンテンツ取得装置識別子を仲介装置に渡す識別子通知ステップを実行させるためのプログラムである。なお、ここで外部とは、予め決められたサーバ装置などを言う。
【発明の効果】
以上のように、本発明によれば、コンテンツ取得装置にコンテンツが極めて簡単に自動的に蓄積される。
【図面の簡単な説明】
【図１】実施の形態における情報処理システムの概念図
【図２】実施の形態における情報処理システムのブロック図
【図３】実施の形態におけるサーバ装置の動作について説明するフローチャート
【図４】実施の形態における仲介装置の動作について説明するフローチャート
【図５】実施の形態におけるコンテンツ取得装置の動作について説明するフローチャート
【図６】実施の形態における情報処理システムの概念図
【図７】実施の形態におけるコンテンツ取得装置識別子管理表を示す図
【図８】実施の形態におけるコンテンツ取得装置の外観図
【符号の説明】
１１  サーバ装置
１２  仲介装置
１３  コンテンツ取得装置
１１０１  コンテンツ格納部
１１０２  コンテンツ送信部
１１０３  識別子受信部
１１０４  課金処理部
１２０１  コンテンツ受信部
１２０２  コンテンツ通知部
１２０３  識別子取得部
１２０４  識別子送信部
１３０１  識別子格納部
１３０２  識別子通知部
１３０３  コンテンツ取得部
１３０４  コンテンツ蓄積部
１３０５  指示受付部
１３０６  コンテンツ出力部
【図１】
2004178510.tif 000003
【図２】
2004178510.tif 000004
【図３】
2004178510.tif 000005
【図４】
2004178510.tif 000006
【図５】
2004178510.tif 000007
【図６】
2004178510.tif 000008
【図７】
2004178510.tif 000009
【図８】
2004178510.tif 000010